(57)【要約】【課題】  他の機器との連係関係を維持する等の登録が可能な電子機器に関し、暗証番号の入力の不要化等、機器登録の簡略化を図る。【解決手段】  登録対象である相手機器（ヘッドセット４）から機器情報を取得する機器情報取得部（Bluetooth 機能部２０４、４０２、バーコード読取り部２６４）と、前記登録対象を表す機器情報を格納する記憶部（データ保持部２２０、４１２）と、前記記憶部に格納された前記機器情報と相手機器から取得した前記機器情報とを比較し、両者が一致した場合に、前記相手機器に付与する暗証情報を生成する暗証情報生成部（制御部２１３）とを含む構成である。【選択図】        図１
2006262420.tif 000002
【特許請求の範囲】
【請求項１】
登録対象である相手機器から機器情報を取得する機器情報取得部と、
前記登録対象を表す機器情報を格納する記憶部と、
前記記憶部に格納された前記機器情報と相手機器から取得した前記機器情報とを比較し、両者が一致した場合に、前記相手機器に付与する暗証情報を生成する暗証情報生成部と、
を含むことを特徴とする電子機器。
【請求項２】
前記暗証情報生成部で生成した前記暗証情報から前記相手機器の認証に用いる認証情報を生成させる認証情報生成部を備えたことを特徴とする請求項１記載の電子機器。
【請求項３】
相手機器から登録要求を受けた際に、その登録要求を表す通知を発する通知部と、
前記登録要求に応じるか否かを選択する選択部と、
前記選択部により特定される指示情報を相手機器に通知する通信部と、
を含むことを特徴とする電子機器。
【請求項４】
登録対象である相手機器から機器情報を取得する処理と、
記憶部に格納されている機器情報と、相手機器から取得した前記機器情報とを比較する処理と、
前記比較により、前記機器情報が一致した場合に、前記相手機器に付与する暗証情報を生成する処理と、
を含むことを特徴とする電子機器の登録方法。
【請求項５】
コンピュータにより実行させる電子機器の登録プログラムであって、
登録対象である相手機器から機器情報を取得するステップと、
記憶部に格納されている機器情報と、相手機器から取得した前記機器情報とを比較するステップと、
前記比較により、前記機器情報が一致した場合に、前記相手機器に付与する暗証情報を生成するステップと、
を含むことを特徴とする電子機器の登録プログラム。
【発明の詳細な説明】
【技術分野】
【０００１】
本発明は、他の電子機器と機能を補完し得る電子機器に関し、特に、携帯電話機とヘッドセットのように相手機器との機能連係を登録によって樹立させる電子機器、その登録方法及びその登録プログラムに関する。
【背景技術】
【０００２】
電子機器が他の機器と機能を補完し合う場合、例えば、携帯電話機では、その機能を補完する他の機器としてヘッドセット（マイクロフォン付きヘッドフォン）や、他の電話機等がある。携帯電話機は通話機能、データ通信機能等の複合的な機能を有するが、他の機器であるヘッドセットは携帯電話機から手を開放するハンズフリー機能を有する。そこで、携帯電話機にヘッドセットを接続すれば、ハンズフリー機能を活かすことができるし、携帯電話機及びヘッドセットに搭載されたブルーツゥース（Bluetooth ）機能等の近距離無線通信機能を用いれば、コードレスにより、通話の利便性がより高められる。しかしながら、このような機器間の連係関係の樹立には、機器間での登録処理が必要である。斯かる機器間の登録処理は容易化されることが望まれている。
【０００３】
従来の機器間の登録には、デフォルトである暗証番号が、その登録に使用されるものがあるが、斯かる暗証番号の使用は、登録すべき双方の機器の一方からの暗証番号入力を省略できるが、他方の機器での処理には複雑な登録手順を踏むことが必要である。
【０００４】
このような機器登録等に関し、携帯電話機が持つ装置番号に対応する利用者の頭部画像、身体画像等の情報を予め記憶部に格納し、この記憶部の格納情報と利用者が必要に応じて選択した情報とを対応させる処理を行うものとして例えば、特許文献１が存在している。
【特許文献１】特開２００４−３０２９１０号公報（段落番号００３５、００３６、００４４、００４５、００４９、図１０、図１１、図１２、図１４等）
【発明の開示】
【発明が解決しようとする課題】
【０００５】
特許文献１に開示された技術は、利用者が持つ携帯電話機側から処理装置側に予め登録した携帯電話機の装置番号、利用者を表す情報を登録し、その登録情報と、携帯電話機から処理装置よりインターネット上に提供される商品情報とを対応させるものである。このような技術は、携帯端末と機器とを登録させる処理とは全く異なり、その処理に馴染まないものである。
【０００６】
既述したように、電子機器間の登録にあっては、暗証番号の入力等、複雑な処理操作が必要であり、このような処理を簡略化するとの課題について、特許文献１にはその開示や示唆はなく、特許文献１に開示された技術では斯かる課題を解決できるものではない。
【０００７】
そこで、本発明の目的は、他の機器との連係関係を維持する等の登録が可能な電子機器に関し、暗証番号の入力の不要化等、機器登録の簡略化にある。
【課題を解決するための手段】
【０００８】
上記目的を達成するため、本発明は、登録対象である相手機器から機器情報を取得する機器情報取得部と、前記登録対象を表す機器情報を格納する記憶部と、前記記憶部に格納された前記機器情報と相手機器から取得した前記機器情報とを比較し、両者が一致した場合に、前記相手機器に付与する暗証情報を生成する暗証情報生成部とを含む構成である。
【０００９】
斯かる構成とすれば、登録対象である相手機器の機器名称等の機器情報は記憶部に記憶されて保存されており、登録対象である相手機器の機器情報は機器情報取得部によって取得される。そこで、暗証情報生成部では、取得した機器情報と保持している機器情報とを比較することにより、両者が一致した場合に、暗証情報を自動生成する。このため、暗証番号等の暗証情報の入力処理は不要となり、ユーザ側の機器登録の処理が簡略化される。
【００１０】
上記目的を達成するためには、本発明の電子機器において、前記暗証情報生成部で生成した前記暗証情報から前記相手機器の認証に用いる認証情報を生成させる認証情報生成部を備えた構成としてもよい。斯かる構成によれば、予め生成させた暗証情報から相手機器の認証のために用いる認証情報を認証情報生成部で生成させることができる。この処理によっても、ユーザ側の機器登録の処理が簡略化される。
【００１１】
上記目的を達成するため、本発明は、相手機器から登録要求を受けた際に、その登録要求を表す通知を発する通知部と、前記登録要求に応じるか否かを選択する選択部と、前記選択部により特定される指示情報を相手機器に通知する通信部とを含む構成としてもよい。斯かる構成によれば、相手機器から登録要求を受けると、その要求があった旨を通知部によって通知する。ユーザはこの通知部による通知により、登録要求を知ることができ、また、その通知を受けた際に、選択部の操作により、登録要求に応ずるか否かを選択することができる。それを拒否すれば、その登録処理は解除され、それに応ずれば、登録処理が続行されることになる。このような登録処理に応ずるか否かの選択により、機器登録の秩序及び信頼性を維持することができる。即ち、無駄な登録を防止することができる。
【００１２】
上記目的を達成するため、本発明の電子機器の登録方法は、登録対象である相手機器から機器情報を取得する処理と、記憶部に格納されている機器情報と相手機器から取得した前記機器情報とを比較する処理と、前記比較により、前記機器情報が一致した場合に、前記相手機器に付与する暗証情報を生成する処理とを含む構成である。このような登録方法によれば、既述の登録処理が自動化され、暗証情報の入力等の省略が可能となって、登録処理の簡略化が図られる。
【００１３】
上記目的を達成するため、本発明の電子機器の登録プログラムは、コンピュータにより実行させる電子機器の登録プログラムであって、登録対象である相手機器から機器情報を取得するステップと、記憶部に格納されている機器情報と相手機器から取得した前記機器情報とを比較するステップと、前記比較により、前記機器情報が一致した場合に、前記相手機器に付与する暗証情報を生成するステップとを含む構成である。斯かる構成によれば、電子機器に搭載されたコンピュータにより、既述の登録処理を実現でき、暗証情報の入力等の省略が可能となって、登録処理の簡略化が図られる。
【発明の効果】
【００１４】
本発明によれば、従来、機器間の登録に煩雑な作業を必要とした機器登録の簡略化を図ることができ、複数の機器間の機能の協調や補完等、電子機器の利便性を高めることができる。
【発明を実施するための最良の形態】
【００１５】
第１の実施の形態
【００１６】
本発明の第１の実施の形態について、図１及び図２を参照して説明する。図１は、登録関係を確立する電子機器の構成例を示すブロック図、図２は電子機器の具体的な構成例を示す図である。
【００１７】
この実施の形態では、機能的な連係関係を確立するための第１の電子機器として例えば、携帯電話機２が用いられ、第１の電子機器の相手機器である第２の電子機器として例えば、ヘッドセット４が用いられている。そこで、携帯電話機２とヘッドセット４との間に登録関係を確立させ、特定のヘッドセット４で携帯電話機２のハンズフリー化を確立させる。
【００１８】
携帯電話機２において、電話機能部２０２は電話回線による通話を担当する機能部であり、また、Bluetooth 機能部２０４は通話信号やデータ信号の送受を行う情報送受信部の一例である。周知のように、Bluetooth は、近距離無線通信規格であるが、情報の送受手段としてはBluetooth に限定されるものではないし、この実施の形態のデータ通信には他の無線送受信機能を用いてもよい。この実施の形態では、Bluetooth 機能部２０４は、電磁波を媒介として相手機器であるヘッドセット４から機器情報を取得する機器情報取得部を構成している。
【００１９】
電話機能部２０２において、ベースバンド部２０６は、通話信号やダイヤル信号等による搬送信号の変調や復調等を行い、無線送受信部２０８は、アンテナ２１０を通して無線信号電波の送信及び／又は受信を行う。
【００２０】
Bluetooth 機能部２０４において、ベースバンド部２１２は、音声信号やデータ信号による搬送信号の変調、復調、暗号化又は複号化等の信号処理を行う。このベースバンド部２１２には、後述の暗証情報から認証情報を生成させる等、登録処理や信号処理のための各種の制御を実行する制御部２１３が設置されている。この制御部２１３は、ＣＰＵ（Central Processing Unit ）、ＲＯＭ（Read-Only Memory）、ＲＡＭ（Random-Access Memory）等を備えたコンピュータで構成されており、この制御部２１３では、前記暗証情報から相手機器の認証に用いる認証情報として例えば、認証キーを生成するための認証情報生成部を構成している。また、無線送受信部２１４は、アンテナ２１６を通してBluetooth 信号電波２０１の送信又は受信を行う通信部を構成する。
【００２１】
また、これら電話機能部２０２及びBluetooth 機能部２０４のデータ送受や、暗証情報として暗証番号を生成する等の各種の制御を行うための制御部２１８が設置されている。この制御部２１８は、相手機器に付与するための暗証情報を生成する暗証情報生成部を構成している。この制御部２１８は、ＣＰＵ、ＲＯＭ、ＲＡＭ等を備えたコンピュータで構成され、電話機能部２０２等を用いた通話制御、Bluetooth 機能部２０４等を用いる音声やデータの送受制御、表示制御、データや音声の入出力制御、機能切換制御等の各種制御を行う。これらの制御は、ＲＯＭに格納されている制御プログラムの実行等により処理される。制御部２１８における機能切換制御には、例えば、携帯電話機２にヘッドセット４が接続（連係）された場合に、それに対応して携帯電話機２側の後述のマイクロフォン２２４、スピーカ２２８の機能を停止させ、ヘッドセット４による音声の入出力を可能にする等の機能切換えを含んでいる。
【００２２】
また、データ保持部２２０は、登録情報等を格納する記憶部を構成し、登録すべき電子機器の機器名称等を表すデータが格納されている。これらのデータは制御部２１８により読み出されるとともに、データ保持部２２０には相手機器から取得したデータ等の新たなデータが格納される。このデータ保持部２２０は、電源を解除しても記憶内容を消失しないメモリとして例えば、フラッシュメモリで構成される。
【００２３】
そして、制御部２１８との間で情報の入出力を行うため、情報入力部としてキー入力部２２２、マイクロフォン２２４等、情報出力部として表示部２２６、スピーカ２２８等が設置されている。キー入力部２２２は、電話番号や、暗証情報を表す暗証番号等の情報入力に用いられる。マイクロフォン２２４は、制御部２１８に対する音声信号の取り込みに用いられる。表示部２２６は例えば、ＬＣＤ（Liquid Crystal Display）素子等で構成され、制御部２１８に対する各種の入力情報や出力情報を表示する。また、スピーカ２２８は、制御部２１８から出力される音声信号やマイクロフォン２２４を通して取り込まれた音声信号の再生に用いられる。
【００２４】
このような携帯電話機２の相手機器であるヘッドセット４には、この場合、携帯電話機２とのBluetooth 規格による通信を行うための機能とともに、携帯電話機２における音声送受機能を備えている。このヘッドセット４において、Bluetooth 機能部４０２は通話信号やデータ信号の送受を行う情報送受信部の一例である。既述のように、Bluetooth は、近距離無線通信規格であるが、このヘッドセット４においても、携帯電話機２と同様に情報の送受手段としてはBluetooth に限定されるものではないし、この実施の形態のデータ通信には他の無線送受信機能を用いてもよい。このBluetooth 機能部４０２において、ベースバンド部４０４は、音声信号やデータ信号による搬送信号の変調、復調、暗号化、復号化等の信号処理を行う。このベースバンド部４０４には、これらの信号処理のための制御を実行する制御部４０５が設置されている。この制御部４０５は、ＣＰＵ、ＲＯＭ、ＲＡＭ等を備えたコンピュータで構成されている。また、無線送受信部４０６は、アンテナ４０８を通してBluetooth 信号電波２０１の送信又は受信を行う通信部を構成する。
【００２５】
また、このBluetooth 機能部４０２の制御を行うための制御部４１０が設置されている。この制御部４１０はＣＰＵ、ＲＯＭ、ＲＡＭ等を備えたコンピュータで構成され、相手機器である例えば、携帯電話機２の登録制御、通話制御、Bluetooth 機能部４０２等を用いる音声やデータの送受制御、表示制御、データや音声の入出力制御等の各種制御を行う。これらの制御は、ＲＯＭに格納されている制御プログラムの実行等により処理される。
【００２６】
また、データ保持部４１２は、読出し書込みが可能な記憶素子からなる記憶部であって、登録すべき電子機器や自機に関する機器名称、機器アドレス等を表すデータ等、各種のデータを格納する。これらのデータは、制御部４１０により読み出されるとともに、データ保持部４１２には相手機器から取得したデータ等の新たなデータが格納される。このデータ保持部４１２は、電源を解除しても記憶内容を消失しないメモリとして例えば、フラッシュメモリで構成される。
【００２７】
そして、制御部４１０との間で情報の入出力を行うため、ヘッドセット４側で携帯電話機２からの登録要求に応じるか否かの選択に用いられる選択部として第１のスイッチ４１４、第２のスイッチ４１６とともに、音声入力のためのマイクロフォン４１８等が設置され、さらに、情報出力部又は通知部としてＬＥＤ表示器４２０、スピーカ４２２等が設置されている。スイッチ４１４、４１６は、機器登録や通話のための発着信、終話の処理に用いられる。この場合、制御部４１０とマイクロフォン４１８及びスピーカ４２２との間には、信号変換部としてＡ（Analog）Ｄ（Digital ）／ＤＡ変換部４２４が設置されている。ＡＤ／ＤＡ変換部４２４では、マイクロフォン４１８から入力されたアナログ音声信号をディジタル信号に変換し、制御部４１０から出力されるディジタル音声信号をアナログ信号に変換する。
【００２８】
次に、図２に示すように、この実施の形態の携帯電話機２では、第１及び第２の筐体部２３０、２３２がヒンジ部２３４を以て連結され、このヒンジ部２３４を中心に筐体部２３０、２３２が折畳み可能に構成されている。筐体部２３０には、複数のキーからなるキー入力部２２２、マイクロフォン２２４等が配設され、また、筐体部２３２には、表示部２２６、スピーカ２２８、アンテナ２１０、２１６等が配設されている。キー入力部２２２には、入力を確定させる決定キー２３６、入力の選択等に用いるカーソルキー２３８、数字やアルファベット、かな等を入力するための文字キー２４０等が含まれる。その他の構成は図示していないが、筐体部２３０又は２３２に内蔵されている。
【００２９】
また、この実施の形態のヘッドセット４では、耳に装着される本体部４２６が備えられ、この本体部４２６にはスピーカ４２２、スイッチ４１４、４１６に対応するスイッチボタン４１４Ｂ、４１６Ｂ、ＬＥＤ表示器４２０が設置されている。また、本体部４２６には、耳掛け部４２８が設けられているとともに、アーム部４３０が取り付けられ、このアーム部４３０の先端部にマイクロフォン４１８が取り付けられている。
【００３０】
斯かる構成によれば、制御部２１８では、表示部２２６に表示されたメニュー等と、キー入力部２２２からのキー入力により、Bluetooth 機能部２０４の制御や、電話機能部２０２の発着信指示、データ保持部２２０からのデータ読出し等の各処理が行なわれる。
【００３１】
ヘッドセット４を使用した通話時には、ヘッドセット４から送信される送話音声がBluetooth 機能部２０４を経由して電話機能部２０２のベースバンド部２０６に入力され、電話機能部２０２の無線送受信部２０８を経由して電話回線網に出力される。また、電話回線網からの受話音声信号は、電話機能部２０２からBluetooth 機能部２０４に加えられ、このBluetooth 機能部２０４からBluetooth 信号電波２０１によりヘッドセット４のBluetooth 機能部４０２のアンテナ４０８に受信され、制御部４１０及びＡＤ／ＤＡ変換部４２４を経てスピーカ４２２から再生される。従って、斯かる処理により、ヘッドセット４のスピーカ４２２及びマイクロフォン４１８を通して通話をすることができる。
【００３２】
そして、機器登録時には、表示部２２６の表示と、キー入力部２２２からの入力により、制御部２１８からBluetooth 機能部２０４に対して機器検索の指示が与えられ、Bluetooth 信号電波２０１によりヘッドセット４等の登録すべき電子機器の検索が行われる。
【００３３】
Bluetooth 機能部４０２に内蔵されたベースバンド部４０４は、スイッチボタン４１４Ｂ、４１６Ｂの操作により、携帯電話機２の機器登録や通話のための発信又は着信、終話の処理を行なう。この登録や通話の状態はＬＥＤ表示器４２０の点灯により表示される。
【００３４】
通話時には、マイクロフォン４１８の入力音声はＡＤ／ＤＡ変換部４２４でディジタル化され、Bluetooth 機能部４０２に入力され、そのディジタル音声信号は、Bluetooth 機能部４０２のベースバンド部４０４及び無線送受信部４０６を経て、Bluetooth 信号電波２０１として携帯電話機２に送出される。また、受話音声は携帯電話機２からBluetooth 機能部２０４を経由してヘッドセット４に送出され、ＡＤ／ＤＡ変換部４２４でアナログ信号に変換された後、スピーカ４２２から再生される。
【００３５】
そして、携帯電話機２に対する機器登録では、Bluetooth 機能部２０４に制御部２１８から所定のコマンドを発行し、登録対象の電子機器であるヘッドセット４から機器アドレス等の情報を取得する。携帯電話機２では、取得した機器アドレスを用いて、ヘッドセット４から機器名称を取得し、データ保持部２２０に予め保持してある登録対象の機器名称との比較を行なう。機器名称が一致している場合には、ヘッドセット４の機器アドレスから暗証番号を生成し、この暗証番号を認証情報に利用する。一方、ヘッドセット４から取得した機器名称が、携帯電話機２のデータ保持部２２０の登録対象である機器名称と異なる場合には、ユーザに暗証番号の入力を求め（促し）、ユーザが入力した暗証番号を使用して認証を行なう。
【００３６】
ところで、ヘッドセット４には機器登録に際し、他の機器から機器登録の要求があることをＬＥＤ表示器４２０の点灯表示によりユーザに告知し、これを認識したユーザがスイッチボタン４１４Ｂを押下することにより機器登録の実行を可能としている。
【００３７】
斯かる構成によれば、機器登録に関し、煩雑な作業が不要であり、機器登録の簡略化により、携帯電話機２とヘッドセット４との連係関係の確立等、電子機器間の連係により一方の電子機器にない機能を他の電子機器で補完する等により利便性の向上が図られる。
【００３８】
次に、このような携帯電話機２及びヘッドセット４の機器登録について、図３及び図４を参照して説明する。図３及び図４は、携帯電話機２側の登録処理をヘッドセット４と関係付けて示した登録方法及び登録プログラムの一例を示すフローチャートである。図３及び図４において、Ａはフローチャート間の接続部分を示す。
【００３９】
携帯電話機２にヘッドセット４を登録する場合には、携帯電話機２のメニュー表示から機器登録を選択し、機器登録処理を起動する（ステップＳ１）。機器登録処理を起動させると、携帯電話機２の制御部２１８からBluetooth 機能部２０４を経由してヘッドセット４に対し、問い合わせ（ステップＳ２）が発せられ、ヘッドセット４からその問い合わせ結果として機器アドレス、機器クラス、クロックオフセットの通知（ステップＳ３）が発せられる。この通知の後、所定時間が経過すると、Bluetooth 機能部２０４の制御部２１３では、その所定時間の経過の後、問い合わせの完了通知（ステップＳ４）を制御部２１８に発する。これらを受け、携帯電話機２からBluetooth 機能部２０４を経由してヘッドセット４に機器名称の通知要求（ステップＳ５）が発せられ、ヘッドセット４から受けた機器名称の通知（ステップＳ６）を受領する。
【００４０】
機器名称の通知を受けると、携帯電話機２の制御部２１８では、通知された機器名称がデータ保持部２２０に存在するか否かの判定が行われる（ステップＳ７）。即ち、この処理では、通知された機器名称とデータ保持部２２０に存在する機器名称とが一致するか否かの判定が行われる。機器名称がない場合には、図４に示すフローチャートのステップＳ１８に移行する。また、データ保持部２２０に相手機器であるヘッドセット４を表す機器名称が存在している場合には、ヘッドセット４に対し、接続要求が発せられ（ステップＳ８）、この接続要求を受けたヘッドセット４から認証キーの通知要求（ステップＳ９）が発せられる。携帯電話機２に認証キーが存在しない場合には、その旨の応答（ステップＳ１０）をし、この応答を契機とし、ヘッドセット４から暗証番号の要求（ステップＳ１１）が発せられる。この暗証番号の要求に対し、携帯電話機２の制御部２１８では、暗証情報として暗証番号を生成させ（ステップＳ１２）、この暗証番号をBluetooth 機能部２０４を経由してヘッドセット４に通知する（ステップＳ１３）。この場合、ヘッドセット４から取得した既述の機器アドレス（ステップＳ３）が複数桁の数字列で構成されているので、その数字列の例えば、下４桁を暗証番号として自動生成する。
【００４１】
この暗証番号の生成に基づき、Bluetooth 機能部２０４では、その暗証番号から制御部２１３で認証キーを生成し（ステップＳ１４）、この認証キーを制御部２１８に通知する（ステップＳ１５）。この認証キーは、携帯電話機２のデータ保持部２２０に保存される（ステップＳ１６）。そして、Bluetooth 機能部２０４の制御部２１３から接続完了の通知がヘッドセット４に対して発せられ（ステップＳ１７）、また、ヘッドセット４から携帯電話機２に接続完了が通知され（ステップＳ１８）、携帯電話機２に対するヘッドセット４の登録処理が完了する。
【００４２】
また、ステップＳ７において、機器名称がデータ保持部２２０に存在していない場合には、暗証番号の自動生成処理はなく、通常のマニュアル処理（図４）に基づく機器登録が実行される。この場合、携帯電話機２の制御部２１８からBluetooth 機能部２０４を経由してヘッドセット４に接続要求が発せられ（ステップＳ１９）、この接続要求を受けたヘッドセット４から認証キーの通知要求が発せられ（ステップＳ２０）、ヘッドセット４が未登録であれば、携帯電話機２には認証キーが存在していないので、その旨の応答（ステップＳ２１）が発せられ、これを受けたヘッドセット４から暗証番号の通知要求（ステップＳ２２）が発せられ、これを制御部２１８が受領する。
【００４３】
この暗証番号の通知要求を受けると、制御部２１８の表示制御により、携帯電話機２の表示部２２６には、暗証番号の入力を促すメッセージが表示され（ステップＳ２３）、この表示の後、キー入力部２２２の文字キー２４０を用いた暗証番号の入力を受け付ける（ステップＳ２４）。入力された暗証番号は、制御部２１８からBluetooth 機能部２０４を経由してヘッドセット４に通知される（ステップＳ２５）。
【００４４】
制御部２１８から暗証番号の通知を受けたBluetooth 機能部２０４では、その暗証番号から認証キーを生成させる（ステップＳ２６）。この認証キーはBluetooth 機能部２０４から制御部２１８に通知され（ステップＳ２７）、データ保持部２２０に保存される（ステップＳ２８）。そして、Bluetooth 機能部２０４の制御部２１３からヘッドセット４に対して接続完了通知が発せられ（ステップＳ２９）、ヘッドセット４から携帯電話機２に接続完了の通知が発せられ（ステップＳ３０）、制御部２１８がこの接続完了の通知を受領すると、携帯電話機２に対するヘッドセット４の登録処理が完了する。
【００４５】
次に、携帯電話機２及びヘッドセット４の登録処理について、図５及び図６を参照して説明する。図５及び図６は、ヘッドセット４側の処理を携帯電話機２の処理（図３）に対応して示した登録方法及び登録プログラムの一例を示すフローチャートである。図５及び図６において、Ａは図４に示すフローチャートとの接続部分、Ｂは、図６に示すフローチャート間の接続部分を示している。
【００４６】
携帯電話機２側の機器登録の処理は、図３及び図４に示した通りであるが、図５は、携帯電話機２とヘッドセット４との間の機器登録の処理を示すフローチャートである。ここでは、携帯電話機２側の処理については、図３と同一符号を付すことにより、図３及び図４に示すフローチャートと共通の処理であることを示している。
【００４７】
機器登録の処理では、ヘッドセット４においても機器登録の処理を起動させる（ステップＳ４１）。この場合、スイッチボタン４１４Ｂ、４１６Ｂのいずれか又は双方の押下により、機器登録の処理が起動される。この起動中に、携帯電話機２の機器登録処理の起動に基づき、問い合わせ等の処理（ステップＳ２、Ｓ３、Ｓ５〜Ｓ７）の後、接続要求（ステップＳ８）を受けると、接続要求を受けていることを告知する（ステップＳ４２）。この告知は例えば、スピーカ４２２から接続要求を表す鳴動音により行う。ここで、スイッチボタン４１４Ｂ、４１６Ｂについて、スイッチボタン４１４Ｂを接続許可、スイッチボタン４１６Ｂを接続拒否に対応させておけば、このスイッチボタン４１４Ｂ、４１６Ｂの選択押下により、接続許可又は接続拒否が選択される（ステップＳ４３）。
【００４８】
スイッチボタン４１４Ｂを押下した場合には、認証キーの要求（ステップＳ９）、携帯電話機２からの認証キーなしの応答（ステップＳ１０）、携帯電話機２に対する機器登録の要求として暗証番号の要求（ステップＳ１１）、携帯電話機２側での暗証番号の生成（ステップＳ１２）の後、その暗証番号がヘッドセット４に通知される（ステップＳ１３）。
【００４９】
携帯電話機２のBluetooth 機能部２０４では、暗証番号から認証キーを生成させ（ステップＳ１４）、この認証キーは制御部２１８を通じてデータ保持部２２０に保存される（ステップＳ１６）。
【００５０】
ヘッドセット４側では、通知された暗証番号がヘッドセット４側の暗証番号と一致するか否かを判定する（ステップＳ４４）。暗証番号が不一致の場合には、機器登録の処理を中止させ（図６）、暗証番号が一致した場合には、登録処理を継続させ、携帯電話機２側と同様に暗証番号から認証キーを生成（ステップＳ４５）、その認証キーをデータ保持部４１２に保存（ステップＳ４６）、ヘッドセット４に対する接続完了の通知（ステップＳ１７）、携帯電話機２に対する接続完了の通知（ステップＳ１８）の後、携帯電話機２側での機器登録が完了するとともに、ヘッドセット４側の機器登録の処理が完了する。暗証番号が不一致の場合には、一旦、処理を終了させ、再度の登録処理を行えばよい。
【００５１】
そして、ステップＳ４３において、スイッチボタン４１６Ｂが押下されて接続拒否の場合には、図６に示すように、ヘッドセット４から接続拒否の通知（ステップＳ４７）が発せられ、ヘッドセット４側では機器登録拒否を以て登録処理を終了させ、同様に携帯電話機２側でも接続拒否の通知を受け、登録処理を終了させる。このような処理は、ステップＳ４４（図５）において、暗証番号の不一致と判定した場合にも同様である。
【００５２】
以上説明した通り、この実施の形態に係る携帯電話機２及びヘッドセット４の登録処理によれば、携帯電話機２では予め登録対象である機器名称を保持しており、ヘッドセット４からの機器名称が、予め保持させた機器名称と一致した場合に、自動的に暗証番号をヘッドセット４側に送信し、機器登録を完了させることができ、機器登録の煩雑な作業を簡略化でき、携帯電話機２及びヘッドセット４等、電子機器間の連係及びその使い勝手を向上させることができる。
【００５３】
また、ヘッドセット４が携帯電話機２から接続要求を受けたときにユーザに確認を求めており、許容された機器登録であるヘッドセット４のみの機器登録を行なうことができ、登録の信頼性の確保も図られている。
【００５４】
次に、登録処理上の携帯電話機２側の表示について、図７、図８及び図９を参照して説明する。図７、図８及び図９は、携帯電話機２の表示部２２６の表示内容を示す図である。
【００５５】
携帯電話機２では、初期画面からBluetooth 設定を選択すると、表示部２２６には、図７の（Ａ）に示すメニュー画面２４２が表示される。このメニュー画面２４２には、現在のメニューモードを表す「Bluetooth 設定」、「(1) ・・・」、「(2) 機器登録」・・・「(6) バーコードリーダ」・・・等が表示されるとともに、決定キー２３６を示唆する「決定」が表示される。そこで、この「(2) 機器登録」にカーソルキー２３８によってカーソル２４４を合わせ、決定キー２３６を押下すれば、機器登録処理が起動される。
【００５６】
この機器登録処理が実行されると、問い合わせ（ステップＳ２）が行われるので、表示部２２６には、図７の（Ｂ）に示す通信中を表す動作画面２４６が表示される。この動作画面２４６では、携帯電話機２を表すアイコン２４８と相手機器を表すアイコン２５０とが表示され、これらの間には、Bluetooth 接続を表すアイコン２５２が表示され、その下側には、問い合わせ処理を中止するためのアイコンとして「中止」が表示されている。この中止処理は、決定キー２３６の押下で実行される。
【００５７】
そして、問い合わせ（ステップＳ２）ないし機器名称の要求（ステップＳ５）を経た後、その通知を受け、機器名称がデータ保持部２２０に存在した場合（ステップＳ７）、携帯電話機２の表示部２２６には、図７の（Ｃ）に示す選択画面２５４が表示される。この選択画面２５４には、処理モードを示す「機器登録」、その処理内容を示す「機器名称問い合わせ結果」、機器名称を示す「ヘッドセット」の表示とともに、選択情報として「機器登録しますか？」、「はい」及び「いいえ」が表示され、その下に決定キー２３６の操作を示唆する「決定」が表示されている。そこで、ユーザは、登録しようとする相手機器の機器名称を視認でき、登録の意思があれば、カーソル２４４を「はい」に合わせた後、決定キー２３６を押下すれば、登録処理が実行される。
【００５８】
この登録処理は、問い合わせ（ステップＳ２）から接続完了までの全ての処理が自動的に実行され、機器登録として携帯電話機２に相手機器であるヘッドセット４の登録が行われる。
【００５９】
このような登録が行われた後は、通話モードでヘッドセット４の使用を選択すれば、携帯電話機２のマイクロフォン２２４及びスピーカ２２８の機能が停止されるとともに、登録しているヘッドセット４を用いた音声の送受に切り換わる。従って、登録されているヘッドセット４を用いて携帯電話機２での通話をハンズフリーにより行える。
【００６０】
次に、データ保持部２２０に機器名称が存在していない場合には、図８の（Ａ）に示すように、選択画面２５６が表示される。この選択画面２５６には、処理モードを示す「機器登録」、その処理内容を示す「機器名称問い合わせ結果」の表示とともに、選択情報として「データベース内に該当なし。機器登録を続行しますか？」、「はい」及び「いいえ」が表示され、その下に決定キー２３６の操作を示唆する「決定」が表示されている。そこで、ユーザは、登録しようとする相手機器の機器名称がないことを確認でき、登録の意思があれば、カーソル２４４を「はい」に合わせた後、決定キー２３６を押下すれば、登録処理が続行される。
【００６１】
この登録処理が続行されると、図８の（Ｂ）に示すように、暗証番号の入力を促す入力画面２５８が表示され、この入力画面２５８には、処理モードを示す「機器登録」、「暗証番号を入力して下さい。」の表示とともに、暗証番号の入力枠２６０が表示され、その下に決定キー２３６の操作を示唆する「決定」が表示されている。そこで、ユーザは、入力枠２６０に暗証番号として例えば、４桁の数字を文字キー２４０により入力した後、決定キー２３６を押下すれば、登録処理が続行される。
【００６２】
決定キー２３６を押下すると、図８の（Ｃ）に示すように、Bluetooth 通信中を表す動作画面２６２が表示される。この動作画面２６２では、携帯電話機２を表すアイコン２４８と相手機器を表すアイコン２５０とが表示され、これらの間には、Bluetooth 接続を表すアイコン２５２が表示され、その下側には、問い合わせ処理を中止するためのアイコンとして「中止」が表示されている。この中止処理は、決定キー２３６の押下で実行される。この通信を維持させれば、この通信中に既述の機器登録の処理が実行される。
【００６３】
第２の実施の形態
【００６４】
次に、本発明の第２の実施の形態について、図９及び図１０を参照して説明する。図９は、登録関係を確立する電子機器の構成例を示すブロック図、図１０は電子機器の具体的な構成例を示す図である。図９及び図１０において、図１及び図２と同一部分には同一符号を付してある。
【００６５】
この実施の形態は、第１の電子機器が第２の電子機器を表す機器アドレスや暗証番号等の情報を第２の電子機器に付されたバーコード等の表示情報からの取得を可能にしている。
【００６６】
そこで、第１の電子機器として例えば、携帯電話機２では、機器情報取得部としてバーコード読取り部２６４が備えられ、このバーコード読取り部２６４で取得した情報が制御部２１８に入力される。バーコード読取り部２６４は携帯電話機２に搭載された撮像部として例えば、カメラで構成することができる。バーコード読取り部２６４は、バーコードリーダを接続する構成としてもよい。この実施の形態の携帯電話機２では、Bluetooth 機能部２０４を以て相手機器の機器アドレス等の情報を取得する第１の機器情報取得部が構成されているとともに、バーコード読取り部２６４を以て第２の機器情報取得部が構成されている。この実施の形態について、その他の構成は図１に示す携帯電話機２と同様であるので、各部の説明は省略する。
【００６７】
また、第２の電子機器として例えば、ヘッドセット４には、バーコード４３２が付されており、このバーコード４３２には、機器アドレスや暗証番号が表示されている。その他の構成は、図１に示すヘッドセット４と同様であるので、各部の説明は省略する。
【００６８】
そして、この実施の形態では、図１０に示すように、携帯電話機２にバーコード読取り部２６４を構成する撮像部２６６が設置され、ヘッドセット４には、バーコード４３２を表示したバーコードラベル４３４が本体部４２６の背面部に付されている。
【００６９】
斯かる構成によれば、携帯電話機２では機器登録に際し、バーコード読取り部２６４でヘッドセット４側のバーコード４３２を読み取ることにより、ヘッドセット４の機器アドレス及び暗証番号を取得でき、これらを用いて認証を行なうことができ、登録処理の簡略化が図られる。
【００７０】
次に、この実施の形態に係る携帯電話機２及びヘッドセット４に関する機器登録について、図１１を参照して説明する。図１１は、携帯電話機２側の登録処理をヘッドセット４と関係付けて示したフローチャートである。図１１において、Ａは、図４に示すフローチャートとの接続部分を示す。
【００７１】
携帯電話機２にヘッドセット４を登録する場合には、携帯電話機２のメニュー表示から機器登録を選択し、機器登録処理を起動する（ステップＳ５１）。機器登録処理を起動させると、携帯電話機２の制御部２１８からバーコード読取り部２６４を起動し、バーコード４３２の読み取りを行う（ステップＳ５２）。このバーコード４３２には、機器アドレス、暗証番号等が含まれているので、このバーコード４３２から機器アドレス及び暗証番号を取得する。このバーコード読取りにより、ヘッドセット４の機器アドレス及び暗証番号が取得できるので、この実施の形態では、携帯電話機２側でヘッドセット４に対する暗証番号を生成する必要がない。
【００７２】
このバーコード読取り処理の後、ヘッドセット４に対し登録の問い合わせ（ステップＳ５３）、ヘッドセット４から機器アドレスの通知を受け（ステップＳ５４）、機器名称の要求をし（ステップＳ５５）、ヘッドセット４から機器名称の通知を受ける（ステップＳ５６）。
【００７３】
そして、制御部２１８では機器アドレスのチェックが行われ（ステップＳ５７）、バーコード４３２から取得した機器アドレスと比較し、それらが一致しているか否かを判定する。不一致の場合には、図４に示すフローチャートのステップＳ１９に移行する。また、機器アドレスが一致している場合には、ヘッドセット４に対し、接続要求を行い（ステップＳ５８）、認証キーの要求（ステップＳ５９）及び認証キーがない旨の応答（ステップＳ６０）を経て、ヘッドセット４から暗証番号の要求を受け（ステップＳ６１）、暗証番号の通知が制御部２１８からBluetooth 機能部２０４を通してヘッドセット４に通知される（ステップＳ６２）。
【００７４】
暗証番号の通知を受けたBluetooth 機能部２０４では、その暗証番号から認証キーを生成させ（ステップＳ６３）、制御部２１８にその認証キーの通知（ステップＳ６４）の後、制御部２１８ではその認証キーをデータ保持部２２０に保存する（ステップＳ６５）。Bluetooth 機能部２０４からヘッドセット４に対し、接続完了の通知（ステップＳ６６）、ヘッドセット４から接続完了の通知（ステップＳ６７）が発せられ、この通知を制御部２１８が受ける。これらの処理を経て機器登録が完了する。
【００７５】
次に、携帯電話機２及びヘッドセット４の登録処理について、図１２を参照して説明する。図１２は、ヘッドセット４側の処理を携帯電話機２の処理（図１１）に対応して示したフローチャートである。図１２において、Ａは、図４に示すフローチャートとの接続部分、Ｂは、図６に示すフローチャート間の接続部分を示している。
【００７６】
携帯電話機２側の機器登録の処理は、図１１に示した通りであるが、図１２では、携帯電話機２とヘッドセット４との間の機器登録の登録方法及び登録プログラムの各処理を示すフローチャートである。ここでは、携帯電話機２側の処理については、図１１と同一符号を付すことにより、図１１に示すフローチャートと共通の処理であることを示している。
【００７７】
機器登録の処理では、ヘッドセット４においても機器登録の処理を起動させる（ステップＳ７１）。この場合、スイッチボタン４１４Ｂ、４１６Ｂのいずれか又は双方の押下により、機器登録の処理が起動される。この起動中に、携帯電話機２の機器登録処理の起動（ステップＳ５１）に基づき、バーコード読取りの処理（ステップＳ５２）が実行される。
【００７８】
このバーコード読取り処理の後、問い合わせ（ステップＳ５３）、ヘッドセット４からの機器アドレスの通知（ステップＳ５４）、機器名称の要求（ステップＳ５５）、機器名称の通知（ステップＳ５６）、機器アドレスのチェック（ステップＳ５７）を経た後、接続要求（ステップＳ５８）を受けると、接続要求を受けていることを告知する（ステップＳ７２）。この告知は例えば、スピーカ４２２から接続要求を表す鳴動音により行う。ここで、スイッチボタン４１４Ｂ、４１６Ｂについて、スイッチボタン４１４Ｂを接続許可、スイッチボタン４１６Ｂを接続拒否に対応させておけば、このスイッチボタン４１４Ｂ、４１６Ｂの選択押下により、接続許可又は接続拒否が選択される（ステップＳ７３）。
【００７９】
スイッチボタン４１４Ｂを押下した場合には、既述の通り、認証キーの要求（ステップＳ５９）、携帯電話機２からの認証キーなしの通知（ステップＳ６０）、携帯電話機２に対する機器登録の要求として暗証番号の要求（ステップＳ６１）をし、既にステップＳ５２で取得している暗証番号がヘッドセット４に通知される（ステップＳ６２）。
【００８０】
ヘッドセット４側では、通知された暗証番号がヘッドセット４側の暗証番号と一致するか否かを判定する（ステップＳ７４）。暗証番号が不一致の場合には、機器登録の処理を中止し（図６）、暗証番号が一致した場合には、登録処理を継続させ、携帯電話機２側と同様に暗証番号から認証キーを生成（ステップＳ７５）、その認証キーをデータ保持部４１２に保存（ステップＳ７６）を行い、ヘッドセット４に対する接続完了の通知（ステップＳ６６）、携帯電話機２に対する接続完了の通知（ステップＳ６７）の後、携帯電話機２側での機器登録が完了するとともに、ヘッドセット４側の機器登録の処理が完了する。
【００８１】
次に、登録処理上の携帯電話機２側の表示について、図１３を参照して説明する。図１３は、携帯電話機２の表示部２２６の表示内容を示す図である。
【００８２】
携帯電話機２では、初期画面からBluetooth 設定を選択すると、表示部２２６には、図１３の（Ａ）に示すメニュー画面２６８が表示される。このメニュー画面２６８には、現在のメニューモードを表す「Bluetooth 設定」、「(1) ・・・」、「(2) 機器登録」、・・・「(6) バーコードリーダ」・・・等が表示されるとともに、決定キー２３６を示唆する「決定」が表示される。そこで、この「(6) バーコードリーダ」にカーソルキー２３８によってカーソル２４４を合わせ、決定キー２３６を押下すれば、バーコード読取りが起動される。
【００８３】
このバーコード読取り処理が実行されると、表示部２２６には、図１３の（Ｂ）に示すバーコード読取り中を表す動作画面２７０が表示される。この動作画面２７０には、「バーコード読取り中」とともに、バーコード４３２が映し出され、その下側には、バーコード読取り処理を中止するためのアイコンとして「中止」が表示されている。この中止処理は、決定キー２３６の押下で実行される。
【００８４】
そして、バーコード４３２の読取りが完了すると、表示部２２６には、図１３の（Ｃ）に示す動作画面２７２が表示される。この動作画面２７２には、処理内容を表す「バーコード読取りデータ」とともに、バーコード４３２から認識されたデータである数字の表示とともに、その下に決定キー２３６の操作を示唆する「決定」が表示されている。そこで、ユーザに登録の意思があり、決定キー２３６を押下すれば、登録処理が実行される。
【００８５】
この登録処理は、問い合わせ（ステップＳ５３）から接続完了までの全ての処理が自動的に実行され、機器登録として携帯電話機２に相手機器であるヘッドセット４の登録が行われる。なお、バーコード４３２より取得した機器アドレスと、問い合わせにより取得した機器アドレスとが不一致の場合の処理画面は、図８の（Ａ）、（Ｂ）及び（Ｃ）について説明した通りである。
【００８６】
このような登録が行われた後は、通話モードでヘッドセット４の使用を選択すれば、携帯電話機２のマイクロフォン２２４及びスピーカ２２８の機能が停止されるとともに、登録しているヘッドセット４を用いた音声の送受に切り換わる。従って、登録されているヘッドセット４を用いて携帯電話機２での通話をハンズフリーにより行える。
【００８７】
他の実施の形態
【００８８】
次に、他の実施の形態について、図１４及び図１５を参照して説明する。図１４は、登録対象としてパーソナルコンピュータ（ＰＣ）を用いた構成例を示す図、図１５は、登録対象としてＴＶ受信機を用いた構成例を示す図である。
【００８９】
上記実施の形態では、第１及び第２の電子機器として携帯電話機２及びヘッドセット４を例示したが、図１４に示すように、第１の電子機器として携帯電話機２又はヘッドセット４とし、第２の電子機器としてＰＣ６で構成してもよい。この場合、ＰＣ６の本体部６０２に例えば、ヘッドセット４（図１又は図９）で例示したBluetooth 機能部４０２を内蔵させれば、既述の機器登録を携帯電話機２又はヘッドセット４とＰＣ６との間で連係関係を維持することができる。既述した通り、暗証番号の入力の手数等を省略した簡易な処理で登録を実行することができる。
【００９０】
また、図１５に示すように、第１の電子機器として携帯電話機２又はヘッドセット４とし、第２の電子機器としてＴＶ受信機８で構成してもよい。この場合、ＴＶ受信機８の本体部８０２に例えば、ヘッドセット４（図１又は図９）で例示したBluetooth 機能部４０２を内蔵させれば、既述の機器登録を携帯電話機２又はヘッドセット４とＴＶ受信機８との間で連係関係を維持することができる。このように、ＴＶ受信機８と携帯電話機２との連係では、受信チャネルの選択等の操作に加え、簡易な登録処理によって、双方向性通信等の高度な通信形態を確立させることにより、携帯電話機２をＴＶ受信機８を介在させた音声やデータの送受信に用いることができる。また、ＴＶ受信機８とヘッドセット４との連係では、音声出力をヘッドセット４に切り換えるだけでなく、双方向性通信を確立した際に、ヘッドセット４が備えるマイクロフォン４１８を用いて音声入力をＴＶ受信機８のBluetooth 機能部４０２を通して送受信することができる。
【００９１】
なお、その他の実施の形態として、複数の電子機器間の登録に本発明を適用することができ、第１及び第２の電子機器としては、携帯電話機２と家電製品、携帯電話機２と電子手帳、携帯電話機２と自動車の制御部等、各種の電子機器間の登録に用いることができる。
【００９２】
また、上記実施の形態では、電子機器間の登録のための伝送媒体にBluetooth による通信規格の電磁波を用いているが、Bluetooth 以外の規格を用いてもよく、近距離無線通信機能の伝送媒体としては音声、超音波等によるワイヤレスの他、有線であってもよい。
【００９３】
次に、以上述べた本発明の電子機器、その登録方法及びその登録プログラムの各実施形態から抽出される技術的思想を請求項の記載形式に準じて付記として列挙する。本発明に係る技術的思想は上位概念から下位概念まで、様々なレベルやバリエーションにより把握できるものであり、以下の付記に本発明が限定されるものではない。
【００９４】
（付記１）  登録対象である相手機器から機器情報を取得する機器情報取得部と、
前記登録対象を表す機器情報を格納する記憶部と、
前記記憶部に格納された前記機器情報と相手機器から取得した前記機器情報とを比較し、両者が一致した場合に、前記相手機器に付与する暗証情報を生成する暗証情報生成部と、
を含むことを特徴とする電子機器。
【００９５】
（付記２）  前記暗証情報は、前記相手機器から取得した機器アドレスを用いて生成させることを特徴とする付記１記載の電子機器。
【００９６】
（付記３）  前記暗証情報生成部で生成した前記暗証情報から前記相手機器の認証に用いる認証情報を生成させる認証情報生成部を備えたことを特徴とする付記１記載の電子機器。
【００９７】
（付記４）  前記暗証情報生成部は、前記記憶部に格納されている前記機器情報と前記相手機器の機器情報とを比較し、両者が一致しない場合に、前記相手機器に付与すべき暗証情報の入力を促す表示情報を発生する構成としたことを特徴とする付記１記載の電子機器。
【００９８】
（付記５）  前記機器情報取得部は、前記登録対象である相手機器に表示された機器情報を画像により読み取る構成としたことを特徴とする付記１記載の電子機器。
【００９９】
（付記６）  相手機器から登録要求を受けた際に、その登録要求を表す通知を発する通知部と、
前記登録要求に応じるか否かを選択する選択部と、
前記選択部により特定される指示情報を相手機器に通知する通信部と、
を含むことを特徴とする電子機器。
【０１００】
（付記７）  登録対象である相手機器から機器情報を取得する処理と、
記憶部に格納されている機器情報と、相手機器から取得した前記機器情報とを比較する処理と、
前記比較により、前記機器情報が一致した場合に、前記相手機器に付与する暗証情報を生成する処理と、
を含むことを特徴とする電子機器の登録方法。
【０１０１】
（付記８）  前記暗証情報から前記相手機器の認証に用いる認証情報を生成させる処理を含むことを特徴とする付記７記載の電子機器の登録方法。
【０１０２】
（付記９）  前記記憶部に格納されている前記機器情報と前記相手機器の機器情報とを比較し、両者が一致しない場合に、前記相手機器に付与すべき暗証情報の入力を促す表示情報を発生させる処理を含むことを特徴とする付記７記載の電子機器の登録方法。
【０１０３】
（付記１０）  前記登録対象である相手機器に表示された機器情報を画像により読み取る処理を含むことを特徴とする付記７記載の電子機器の登録方法。
【０１０４】
（付記１１）  相手機器から登録要求を受けた際に、その登録要求を表す通知を発する処理と、
前記登録要求に応じるか否かを選択部により選択する処理と、
特定される指示情報を相手機器に通知する処理と、
を含むことを特徴とする電子機器の登録方法。
【０１０５】
（付記１２）  コンピュータにより実行させる電子機器の登録プログラムであって、
登録対象である相手機器から機器情報を取得するステップと、
記憶部に格納されている機器情報と、相手機器から取得した前記機器情報とを比較するステップと、
前記比較により、前記機器情報が一致した場合に、前記相手機器に付与する暗証情報を生成するステップと、
を含むことを特徴とする電子機器の登録プログラム。
【０１０６】
（付記１３）  前記暗証情報から前記相手機器の認証に用いる認証情報を生成させるステップを含むことを特徴とする付記１２記載の電子機器の登録プログラム。
【０１０７】
（付記１４）  前記記憶部に格納されている前記機器情報と前記相手機器の機器情報とを比較し、両者が一致しない場合に、前記相手機器に付与すべき暗証情報の入力を促す表示情報を発生させるステップを含むことを特徴とする付記１２記載の電子機器の登録プログラム。
【０１０８】
（付記１５）  前記登録対象である相手機器に表示された機器情報を画像により読み取るステップを含むことを特徴とする付記１２記載の電子機器の登録プログラム。
【０１０９】
（付記１６）  コンピュータにより実行させる電子機器の登録プログラムであって、
相手機器から登録要求を受けた際に、その登録要求を表す通知を発するステップと、
前記登録要求に応じるか否かを選択部により選択するステップと、
特定される指示情報を相手機器に通知するステップと、
を含むことを特徴とする電子機器の登録プログラム。
【０１１０】
以上説明したように、本発明の最も好ましい実施形態等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【０１１１】
本発明は、機器間の機能協調や機能補完等に用いられる電子機器間の登録に関し、暗証番号の入力等の手数を省くことができ、登録処理の簡略化とともに、電子機器の利便性を向上させることができ、有用である。
【図面の簡単な説明】
【０１１２】
【図１】第１の実施の形態に係る電子機器を示すブロック図である。
【図２】電子機器の構成例を示す図である。
【図３】携帯電話機側の処理をヘッドセット側の処理と関係付けて示したフローチャートである。
【図４】携帯電話機側の処理をヘッドセット側の処理と関係付けて示したフローチャートである。
【図５】携帯電話機及びヘッドセットとの登録処理を示すフローチャートである。
【図６】携帯電話機及びヘッドセットとの登録処理を示すフローチャートである。
【図７】携帯電話機の表示内容を示す図である。
【図８】携帯電話機の表示内容を示す図である。
【図９】第２の実施の形態に係る電子機器を示すブロック図である。
【図１０】電子機器の構成例を示す図である。
【図１１】携帯電話機側の処理をヘッドセット側の処理と関係付けて示したフローチャートである。
【図１２】携帯電話機及びヘッドセットとの登録処理を示すフローチャートである。
【図１３】携帯電話機の表示内容を示す図である。
【図１４】他の実施の形態に係る電子機器を示す図である。
【図１５】他の実施の形態に係る電子機器を示す図である。
【符号の説明】
【０１１３】
２  携帯電話機（電子機器）
４  ヘッドセット（相手機器）
２０４、４０２  Bluetooth 機能部（機器情報取得部）
２６４  バーコード読取り部（機器情報取得部）
２２０、４１２  データ保持部（記憶部）
２１３  制御部（認証情報生成部）
２１８  制御部（暗証情報生成部）
【図１】
2006262420.tif 000003
【図２】
2006262420.tif 000004
【図３】
2006262420.tif 000005
【図４】
2006262420.tif 000006
【図５】
2006262420.tif 000007
【図６】
2006262420.tif 000008
【図７】
2006262420.tif 000009
【図８】
2006262420.tif 000010
【図９】
2006262420.tif 000011
【図１０】
2006262420.tif 000012
【図１１】
2006262420.tif 000013
【図１２】
2006262420.tif 000014
【図１３】
2006262420.tif 000015
【図１４】
2006262420.tif 000016
【図１５】
2006262420.tif 000017